(57)【要約】【課題】  引き出しトレーに固定するホルダの底板の大きさや形状の自由度を高めることができる光接続箱の引き出しトレーを提供する。【解決手段】  引き出しトレー１１の底面板にホルダ１９を着脱自在に固定可能な引き出しトレーである。ホルダ１９には先端部の側方に嵌合突起２２を備えた第1突起２１が下向きに突設され、第１突起２１の両側には嵌入孔部２４が設けられている。また、引き出しトレー１１には少なくとも3本のスリットからなるスリット部２５が形成されていて、各スリット間の撓み部２６の側壁には嵌合凹部２７が設けられたうえ、撓み部２６の上面には第2突起２３が設けられている。第１突起２１の嵌合突起２２が撓み部２６の側壁の嵌合凹部２７に係合することにより、引き出しトレー１１がホルダ１９を着脱可能に保持するものであり、ホルダ１９の大きさや形状及び取付位置が異なっていても対応可能である。【選択図】  図5
2006003795.tif 000002
【特許請求の範囲】
【請求項１】
底面板にホルダを着脱自在に固定可能な光接続箱の引き出しトレーであって、ホルダと引き出しトレーの一方に、先端部の側方に嵌合突起または嵌合凹部を備えた第1突起を下向きに突設し、他方に少なくとも3本のスリットからなるスリット部を形成し、スリット部の各スリット間の撓み部の側壁に前記第1突起の嵌合突起または嵌合凹部が係合する嵌合凹部または嵌合突起を形成したことを特徴とする光接続箱の引き出しトレー。
【請求項２】
前記第１突起の両側には嵌入孔部が設けられている一方、スリット部の各スリット間の撓み部の上面には前記嵌入孔部に嵌入される第2突起を設けたことを特徴とする請求項１記載の光接続箱の引き出しトレー。
【請求項３】
前記引き出しトレーは、ユニットトレーに引き出し可能に支持されたものであって、前記引き出しトレーの裏面に溝部を形成し、該溝部内の両端に突起を形成するとともに、該溝部に対応する弾性突起をユニットトレーに設けたことを特徴とする請求項１または２に記載の光接続箱の引き出しトレー。
【発明の詳細な説明】
【技術分野】
【０００１】
本発明は、引き出しトレーの底面板にホルダを着脱自在に固定可能な光接続箱の引き出しトレーに関するものである。
【背景技術】
【０００２】
多本数の光ファイバーを接続する光接続箱の内部には、引き出し可能な引き出しトレーを備えた引き出しユニットが多段に積層されている。特に情報通信分野においては、設備の小型化、軽量化の要求が高いため、引き出しトレーの高さが１ｃｍ程度にまで薄くなっており、その底面板の中央には光ファイバの接続部などを保持するホルダが取り付けられている。
【０００３】
ホルダ２の取り付け構造としては、図７に示すように、引き出しトレー１の上面にカギ形状突起３を突設し、ホルダ２の底板端部をこれらのカギ形状突起３で挟み込んで固定する構造が多く採用されていた。（特許文献１）しかし、ホルダ２の底板の大きさや形状が違うと交換が不可能であるという問題点があった。またカギ形状突起３が邪魔になり位置変更が制限されるという問題点もあった。
【特許文献１】特開2003-241004号公報
【発明の開示】
【発明が解決しようとする課題】
【０００４】
本発明は上記した従来の問題点を解決し、引き出しトレーに固定するホルダの底板の大きさや形状の自由度を高めたうえ、ホルダの取り付け位置が変更可能な光接続箱の引き出しトレーを提供するためになされたものである。
【課題を解決するための手段】
【０００５】
上記の課題を解決するためになされた本発明は、底面板にホルダを着脱自在に固定可能な光接続箱の引き出しトレーであって、ホルダと引き出しトレーの一方に、先端部の側方に嵌合突起または嵌合凹部を備えた第1突起を下向きに突設し、他方に少なくとも3本のスリットからなるスリット部を形成し、スリット部の各スリット間の撓み部の側壁に前記第1突起の嵌合突起または嵌合凹部が係合する嵌合凹部または嵌合突起を形成したことを特徴とするものである。
【０００６】
また、前記第１突起の両側には嵌入孔部が設けられている一方、スリット部の各スリット間の撓み部の上面には、前記嵌入孔部に嵌入される第2突起を設けたものとすることができる。さらに、前記引き出しトレーは、ユニットトレーに引き出し可能に支持されたものであって、前記引き出しトレーの裏面に溝部を形成し、該溝部内の両端に突起を形成するとともに、該溝部に対応する弾性突起をユニットトレーに設けたものとしてもよい。
【発明の効果】
【０００７】
本発明によれば、ホルダ部の第１突起に設けた嵌合突起を引き出しトレーのスリット部の撓み部の側壁に設けた嵌合凹部に係合する構造であるため、従来のようにカギ形状突起によってホルダの底板の大きさが制限されていないため、ホルダの種類を変更したときにホルダの底板の大きさや形状が異なっていても対応可能である。また、邪魔になるカギ形状突起がないため、ホルダの取り付け位置も制限されることがないものである。
【発明を実施するための最良の形態】
【０００８】
以下に本発明の好ましい実施形態を説明する。
図１は本発明が適用される光接続箱の斜視図であり、箱本体１０の内部の引き出しトレー１１が多段に積層された状態を示している。図２に示すように、引き出しトレー１１はユニットトレー１２上に前方に引き出し可能に支持されている。
【０００９】
すなわち、引き出しトレー１１は左右両端に設けた立ち上がり片１４の側部が、ユニットトレー１２の両側の立ち上がり片１３に接触すると共に、その上部は、立ち上がり片１３の先端部に内向きに設けた一対の突起１５に接触しながらスライドするようになっている。
【００１０】
さらに、図３、図４に示すように、ユニットトレー１２の底面の前方両側に、その前面を傾斜面１６ａとした弾性突起１６を設ける一方、引き出しトレー１１の底面の裏面には、スライドするときに、前記弾性突起１６に対応する溝部１７が設けられており、溝部１７内の両端近傍には突起１８ａ、１８ｂが両端に設けられている。
【００１１】
このような引き出しトレー１１をユニットトレー１２内に収納しているときは、弾性突起１６は溝部１７の前方の突起１８ａを乗り越えて小溝部１７ａに収まっているので、確実に収納しておくことができ、輸送等に外力が加わってもユニットトレー１２が飛び出すことはない。また、最大引き出し時には、弾性突起１６は溝部１７の後方の突起１８ｂを乗り越えて小溝部１７ｂに収まっているうえ、立ち上がり片１３に内向きに設けた突起１５が立ち上がり片１４の上部に接触しているため、その位置を確実に固定でき抜け落ちることがないものである。従って、引き出しトレー１１上にストッパ部材を設置する必要がないため、配線時に邪魔になることがない。また、引き出しトレーとは別にストッパ部材を設ける必要がないので、コストダウンを図ることができる。
【００１２】
次に、これらの引き出しトレー上に取り付けられる各種ホルダの固定する構造について説明する。
【００１３】
図５に示すように、ホルダ１９の底板２０の表面には、光ケーブルの接続部を保持する各種ホルダ部が設けられており、底板２０の裏面には第1突起２１が下方に向けて形成されて、その先端部の側方には半球状の嵌合突起２２が設けられている。また、第1突起２２の両側には、後述する引き出しトレー１１のスリット部２５に形成した第２突起２３が嵌入される嵌入孔部２４が形成されている。なお、第１突起２２は引き出しトレー１１の底面板の板厚より低い高さに形成されている。
【００１４】
また、引き出しトレー１１の底面板には3本1組のスリット部２５が複数箇所（図５の例では4箇所）設けられている。スリット部２５のスリットの内、中央のスリット２５ｂの幅はホルダ１９の第１突起２１の幅と略同一に形成されている。スリット部２５の各スリットに挟まれた撓み部２６の上面には低段部からなる第2突起２３が形成されると共に、第２突起２３下方の中央スリット２５ｂの側壁には、第1突起２１の嵌合突起２２に係合する嵌合凹部２７が設けられている。なお、第２突起２３はホルダの底板２０より低い高さに形成されている。
【００１５】
上記のような引き出しトレー１１にホルダ１９を固定するには、図６に示すように、ホルダ１１の第１突起２１を3本1組のスリット部２５の中央のスリット２５ｂに挿入すればよい。中央のスリット２５ｂの幅はホルダ１１の第1突起２１の幅と略同一であるので、最初に第1突起２１の先端部に形成した半球状の嵌合突起２２が、撓み部２６上に形成した第２突起２３と接触する。第1突起２１を中央のスリット２５ｂに挿入していくと、撓み部２６は第1突起２１の嵌合突起２２によって両側のスリット２５ａ、２５ｃの方向にそれぞれ撓む。嵌合突起２２が第２突起２３の下方の嵌合凹部２７に嵌ったとき、撓み部２６は撓みを回復して元の位置に戻る。
【００１６】
このように第1突起２１の嵌合突起２２を第２突起２３の下方の嵌合凹部２７に嵌め込むことにより、引き出しトレー１１はホルダ１９を保持するものである。従って引き出しトレー１１の底面板は、平面的な構造でありながらホルダ１９を強固に取り付けることができる。
【００１７】
ホルダ１９を引き出しトレー１１から取り外すときは、ホルダ１９の底板２０を上方に持ち上げることにより、嵌合突起２２が嵌合凹部２７より離脱し、撓み部２６を撓ませながら第1突起２１を中央のスリット２５ｂから抜き出すことができる。嵌合突起２２は半球状に形成されているので、一定の力でホルダ１９の底板を持ち上げるとスムーズに取り外すことができる。
【００１８】
また、第１突起２１及び第２突起２３は嵌合する相手側の板厚を超えない高さに形成されているため、引き出しトレー１１の底面には突出物がなくユニットトレー１２に対してスムーズに摺動自在に支持されるものである。
一方、引き出しトレー１１の底面板にさらに多数のスリット部を設ければ、それぞれのスリット部にホルダを固定することが可能である。また、引き出しトレー１１上の第２突起はホルダの底板の板厚程度のものであるから、ホルダの取り付け位置を変更した場合にも制限を受けることはない。
【００１９】
なお、上記した実施形態ではホルダ１９に第１突起２１を突設し、引き出しトレー１１にスリット部２５を形成した。しかしこれらの突起とスリット部とは逆に設けることも可能であり、ホルダ１９にスリット部を設け、引き出しトレー１１に第１突起を形成してもよい。
【図面の簡単な説明】
【００２０】
【図１】光接続箱の斜視図である。
【図２】引き出しトレーとユニットトレーの斜視図である。
【図３】ユニットトレー側のストッパ機構を示す底面斜視図である。
【図４】引き出しトレー側のストッパ機構を示す斜視図である。
【図５】本発明の実施形態を示す斜視図である。
【図６】本発明の実施形態を示す断面図である。
【図７】従来技術を示す断面図である。
【符号の説明】
【００２１】
１  引き出しトレー
２  ホルダ
３  カギ状突起
１０  箱本体
１１  引き出しトレー
１２  ユニットトレー
１３  立ち上がり片
１４  立ち上がり片
１５  突起
１６  弾性突起
１７  溝部
１８  突起
１９  ホルダ
２０  底板
２１  第１突起
２２  嵌合突起
２３  第２突起
２４  嵌入孔部
２５  スリット部
２６  撓み部
２７  嵌合凹部
【図１】
2006003795.tif 000003
【図２】
2006003795.tif 000004
【図３】
2006003795.tif 000005
【図４】
2006003795.tif 000006
【図５】
2006003795.tif 000007
【図６】
2006003795.tif 000008
【図７】
2006003795.tif 000009